(57)【特許請求の範囲】
【請求項１】
非透水性舗装と、骨材を固結する材料であるバインダが樹脂系である樹脂系浸透型舗装との継目に排水性舗装を設け、前記非透水性舗装、樹脂系浸透型舗装、排水性舗装はそれぞれ現場透水性試験機による１５秒間の浸透水量の試験結果が１００ｍｌ未満の舗装、５００ｍｌ以上の舗装、９００ｍｌ以上の舗装であり、前記非透水性舗装側からの雨水を排水性舗装を通じて排出する構成にしたことを特徴とする舗装構造。
【請求項２】
前記樹脂系浸透型舗装の路肩側の下層に排水性下地を路面長手方向に延設し、前記排水性下地は空隙を有し空隙どうしがつながっていて、前記現場透水性試験機による１５秒間の浸透水量の試験結果が５００ｍｌ以上の排水機能を有するものであり、この排水性下地と前記排水性舗装とを接続した請求項１に記載の舗装構造。
【請求項３】
前記排水性下地が前記排水性舗装と同じ材料からなる請求項２に記載の舗装構造。
【請求項４】
前記排水性下地に排水用導水管を埋設した請求項２または３に記載の舗装構造。
【請求項５】
前記樹脂系浸透型舗装が多孔質弾性舗装である請求項１〜４のいずれかに記載の舗装構造。
【請求項６】
前記排水性舗装の路面長手方向の長さを０．５ｍ〜１０．０ｍにした請求項１〜５のいずれかに記載の舗装構造。
【発明の詳細な説明】
【技術分野】
【０００１】
本発明は、舗装構造に関し、さらに詳しくは、非透水性舗装と樹脂系浸透型舗装とを混在させた際に、非透水性舗装側から流入する雨水によって樹脂系浸透型舗装の端部が剥離する不具合を防止できる舗装構造に関するものである。
【背景技術】
【０００２】
一般的な密粒度アスファルト舗装などのアスファルト系の非透水性舗装に、弾性骨材等をバインダで固結した浸透型舗装をつなげて施工して舗装構造を形成することがある（例えば、特許文献１参照）。このような舗装構造では、雨が降った場合、雨水が浸透し難い非透水性舗装側から浸透型舗装に向かって過大な量の雨水が流れて、継目となる浸透型舗装端部に流入する。また、一般に弾性係数の異なる材料からなる舗装の継目では、車両走行等による衝撃力やせん断力によって、上層の舗装と下地との剥離が誘発される。そのため、非透水性舗装と樹脂系浸透型舗装とを混在させた際には、浸透型舗装とその下地との剥離が生じ易くなる。そこに雨水が流入すると、さらに剥離が促進されることになる。特に、樹脂系バインダを用いて形成された樹脂系浸透型舗装では剥離が生じ易くなる。
【０００３】
このように非透水性舗装と樹脂系浸透型舗装とを混在させた際に、両舗装の継目で一旦剥離が発生すれば、通行する車両等からの繰り返し外力によって、剥離が益々大きくなって大規模な補修工事が必要になる。そのため、大きな剥離の契機となる樹脂系浸透型舗装の端部の剥離を、より効果的に防止できる舗装構造が要望されていた。
【先行技術文献】
【特許文献】
【０００４】
【特許文献１】特開２００３−１３８５０４号公報
【発明の概要】
【発明が解決しようとする課題】
【０００５】
本発明の目的は、非透水性舗装と樹脂系浸透型舗装とを混在させた際に、非透水性舗装側から流入する雨水によって樹脂系浸透型舗装の端部が剥離する不具合を防止できる舗装構造を提供することにある。
【課題を解決するための手段】
【０００６】
上記目的を達成するため本発明の舗装構造は、非透水性舗装と、骨材を固結する材料であるバインダが樹脂系である樹脂系浸透型舗装との継目に排水性舗装を設け、前記非透水性舗装、樹脂系浸透型舗装、排水性舗装はそれぞれ現場透水性試験機による１５秒間の浸透水量の試験結果が１００ｍｌ未満の舗装、５００ｍｌ以上の舗装、９００ｍｌ以上の舗装であり、前記非透水性舗装側からの雨水を排水性舗装を通じて排出する構成にしたことを特徴とする。
【発明の効果】
【０００７】
本発明によれば、非透水性舗装と樹脂系浸透型舗装との継目に排水性舗装を設け、非透水性舗装側からの雨水を排水性舗装を通じて排出する構成にしたので、非透水性舗装と樹脂系浸透型舗装とを混在させた舗装構造であっても、非透水性舗装側からの雨水が樹脂系浸透型舗装に流入し難くなる。そのため、この雨水によって樹脂系浸透型舗装の端部が剥離する不具合を防ぐことができる。
【０００８】
前記樹脂系浸透型舗装の路肩側の下層に排水性下地を路面長手方向に延設し、前記排水性下地は空隙を有し空隙どうしがつながっていて、前記現場透水性試験機による１５秒間の浸透水量の試験結果が５００ｍｌ以上の排水機能を有するものであり、この排水性下地と前記排水性舗装とを接続した仕様にすることもできる。この仕様では、樹脂系浸透型舗装内を浸透し、その下地面及び舗装内を路肩側に流れた雨水が排水性下地内を移動し、さらに排水性下地と排水性舗装とを接続することにより、広く排水網を得ることが出来、点在する排水枡などへの連結もスムーズになり、結果的に排水性能を向上させることができる。
【０００９】
排水性舗装の下層は、雨水が地盤に浸透しないように必ず非透水性舗装になる。そのため、排水性舗装に流入した雨水は、排水性舗装と非透水性舗装の間を流れて路肩側に排出されるので、樹脂系透水性舗装の端部の剥離が生じ易くなることはない。
【００１０】
排水性下地として、例えば、前記排水性舗装と同じ材料で構成して排水性舗装をそのまま使用することができる。また、前記排水性下地に排水用導水管を埋設した仕様にすることもできる。これらの仕様にすることで、さらに排水性能を向上させることができる。
【００１１】
前記樹脂系浸透型舗装としては、多孔質弾性舗装を例示できる。この仕様では、多孔質弾性舗装のメリットを享受しつつ、多孔質弾性舗装の端部の剥離を防止できる。
【００１２】
前記排水性舗装の路面長手方向の長さは、例えば０．５ｍ〜１０．０ｍとする。排水性舗装の長さが０．５ｍ未満では、非透水性舗装側からの雨水を樹脂系浸透型舗装に流入させないようにする流入防止効果が不十分な場合がある。また、施工に際して、敷き均し作業性が悪く平坦性に劣ったり、転圧が不十分で強度に劣ったりすることがある。一方、排水性舗装の長さを１０．０ｍ超にしても、それ以上の流入防止効果を得ることができない。
【図面の簡単な説明】
【００１３】
【図１】本発明の舗装構造を例示する平面図である。
【図２】図１のＡ−Ａ断面図である。
【図３】図１のＢ−Ｂ断面図である。
【図４】本発明の変形例を示す図１のＢ−Ｂ断面図である。
【図５】本発明の変形例を示す図１のＢ−Ｂ断面図である。
【図６】排水枡の配置を変えた本発明の変形例を示す平面図である。
【発明を実施するための形態】
【００１４】
以下、本発明の舗装構造を図に示した実施形態に基づいて説明する。
【００１５】
図１〜図３に例示するように本発明の舗装構造１は、地盤７上に施工した非透水性舗装２と樹脂系浸透型舗装３との継目に排水性舗装５が設けられた構造になっている。舗装構造１は、一般に雨水が路面上を路肩側に流れるように、センターラインＣＬを挟んで、それぞれの路肩側に向かって下方に若干傾斜している。
【００１６】
非透水性舗装２とは、現場透水性試験機による１５秒間の浸透水量が１００ｍｌ未満の舗装を指す。樹脂系浸透型舗装３は上記の浸透水量が５００ｍｌ以上、排水性舗装５は９００ｍｌ以上の舗装を指す。現場透水性試験機としては、ニッケン株式会社製の「排水性舗装用現場透水試験機（分離式）」MODEL NO.NKA-701が挙げられる。
【００１７】
非透水性舗装２は、例えば上層の密粒度アスファルト舗装２ａと下層の粗粒度アスファルト舗装２ｂとで構成されている。密粒度アスファルト舗装２ａと粗粒度アスファルト舗装２ｂの厚さはそれぞれ、４０ｍｍ〜６０ｍｍ程度である。非透水性舗装２には雨水Ｗがほとんど浸透しない。非透水性舗装２としては、このような一般的なアスファルト系舗装またはセメント系舗装が挙げられる。
【００１８】
アスファルト系舗装体の弾性係数は５，０００〜１０，０００ＭＰａ、セメント系舗装体の弾性係数は１０，０００〜４０，０００ＭＰａである。排水性舗装もアスファルト系舗装では弾性係数が５，０００ＭＰａ前後（４，０００〜６，０００ＭＰａ）であり、密粒度アスファルト舗装では弾性係数が８，０００ＭＰａ前後である。
【００１９】
樹脂系浸透型舗装３は、樹脂系バインダを介して骨材等を固結して構成されていて、適度な空隙を有していて空隙どうしがつながっている。それ故、樹脂系浸透型舗装３には雨水Ｗが浸透し易い。樹脂系浸透型舗装３には、必要に応じて着色剤や他の添加剤が混合される。樹脂系浸透型舗装３の厚さは、２０ｍｍ〜４０ｍｍ程度である。尚、浸透型舗装には透水性舗装と排水性舗装が含まれる。
【００２０】
樹脂系浸透型舗装３としては、弾性骨材と硬質骨材とをウレタン樹脂で固結した車道用または歩道用弾性舗装、弾性骨材をウレタン樹脂で固結した歩道用、競技場用または公園用弾性舗装、硬質骨材をウレタン樹脂で固結した車道用または歩道用弾性舗装、硬質骨材をアクリル系樹脂（ＭＭＡ）で固結した車道用または歩道用舗装、硬質骨材をエポキシ樹脂で固結した車道用または歩道用舗装を例示できる。
【００２１】
弾性骨材としては、廃タイヤチップ、ＥＰＤＭチップ、ウレタンバンパー粉砕物、廃ゴムベルトチップ等を用いる。硬質骨材としては、砕石、硅砂、セラミックス、ガラスカレット、貝殻粉砕物、スラグ、アルミナ等を用いる。その他の骨材として、歩道用には木屑、廃プラスチック等を用いることもできる。
【００２２】
この実施形態では図２に例示するように、樹脂系浸透型舗装３の下層に、非透水性舗装４ａが設けられている。非透水性舗装４ａとしては、開粒度アスファルト舗装にセメントミルクを充填した半たわみ性舗装などの透水性がない各種アスファルト舗装を例示できる。樹脂系浸透型舗装３の下層に、透水性舗装を設けた仕様にすることもできる。
【００２３】
樹脂系浸透型舗装３の路肩側の下層には、図３に例示するように排水性下地４ｂが路面長手方向に延設されている。即ち、センターラインＣＬ側の路面よりも下がっている路肩側では、地盤７上に排水性下地４ｂが配置され、その上に樹脂系浸透型舗装３が配置されている。そして、排水性下地４ｂと排水性舗装５とは接続するように配置されている。
【００２４】
排水性下地４ｂは、空隙を有して空隙どうしがつながっていることにより、雨水Ｗを浸透、通過させることができる下地であり、既述した現場透水性試験機による１５秒間の浸透水量が５００ｍｌ以上の排水機能を有する。例えば、排水性下地４ｂとして排水性舗装５の材料をそのまま使用して、排水性舗装５と連続させることもできる。
【００２５】
排水性舗装５は、空隙を有していて空隙どうしがつながっていることにより、雨水Ｗを浸透、通過させることができる舗装であり、例えば、５ｍｍ〜１３ｍｍに調整された砕石や改質されたアスファルトにより形成される。そのため、排水性舗装５には雨水Ｗが浸透し易い。この実施形態では、排水枡８が排水性舗装５に連結するように設置されている。
【００２６】
図２、図３に例示するように排水性舗装５の下層には非透水性下地６が設置されている。排水性舗装５の下層は、雨水Ｗが地盤７に浸透しないように必ず非透水性舗装（非透水性下地６）になる。
【００２７】
非透水性下地６としては、密粒度アスファルト舗装などの透水性がない各種アスファルト舗装を例示できる。排水性舗装５の下層に非透水性下地６を配置する理由は、雨水Ｗが地盤７に浸透すると地盤７が流動しやすくなり、ポットホールなどが発生する危険性があるからである。地盤７が非透水性である場合は、排水性舗装５の下層に非透水性下地６を設ける必要はない。
【００２８】
この舗装構造１は、路面がセンターラインＣＬ側から路肩側に向かって下方に傾斜しているので、雨が降るとその雨水Ｗは、全体的に路肩側に向かって流れる。したがって、樹脂系浸透型舗装３に浸透した雨水Ｗは、樹脂系浸透型舗装３内部を流れて、路肩側の排水性下地４ｂを通じて路肩に設置された排水枡８や排水溝等に排出される。
【００２９】
図１のように、排水枡８が排水性舗装５と通じている場合は、非透水性舗装２の表面を流れる雨水Ｗ、樹脂系浸透型舗装３の表面を流れる雨水Ｗ、非透水性舗装４ａ上の浸透した雨水Ｗが排水性舗装５に流入して排水枡８に排出される。さらに、排水性下地４ｂ内を流れる浸透した雨水Ｗも排水性舗装５に流入して排水枡８に排出される。
【００３０】
このように本発明の舗装構造１では、非透水性舗装２側からの雨水Ｗが、排水性舗装５を通じて排水枡８や排水溝に排出されるようになっている。即ち、非透水性舗装２側からの雨水Ｗは、排水性舗装５によって遮断されるようになるので、樹脂系浸透型舗装３には流入にし難くなる。そのため、非透水性舗装２と樹脂系浸透型舗装３とを混在させた舗装構造であっても、雨水Ｗによって樹脂系浸透型舗装３の端部（排水性舗装５との継目となる端部）が剥離する不具合を防止することができる。
【００３１】
排水性舗装５の路面長手方向の長さＣは、例えば０．５ｍ〜１０．０ｍとするのが好ましい。排水性舗装５の長さＣが０．５ｍ未満では、非透水性舗装２側からの雨水Ｗを樹脂系浸透型舗装３に流入させないようにする流入防止効果が不十分な場合がある。また、施工に際して、敷き均し作業性が悪く平坦性に劣ったり、転圧が不十分で強度に劣ったりすることがある。一方、排水性舗装５の長さＣを１０．０ｍ超にしても、それ以上の流入防止効果を得ることができない。
【００３２】
また、良好な排水性能を確保するには、排水性下地４ｂの幅Ｄは５０ｍｍ〜３００ｍｍ程度にするのが好ましい。
【００３３】
樹脂系浸透型舗装３としては、例えば、多孔質弾性舗装を用いる。多孔質弾性舗装の弾性係数は２０〜５０ＭＰａ程度である。多孔質弾性舗装は、例えば、廃タイヤ粉砕品などの弾性骨材、硅砂などの硬質骨材、ウレタン樹脂により形成される。この仕様にすると、排水性に優れ、適度な弾性を有している多孔質弾性舗装のメリットを享受できる。また、非透水性舗装２側からの雨水Ｗは、排水性舗装５によって遮断されるので、剥離が懸念される多孔質弾性舗装（樹脂系浸透型舗装３）の端部には雨水Ｗが流入し難くなり、剥離の発生を防止できる。
【００３４】
樹脂系浸透型舗装３の路肩側の下層には、図４に例示するように、路面長手方向に延びる排水用導水管４ｃを排水性下地４ｂに埋設することもできる。排水用導水管４ｃは、排水性舗装５と接続させる。
【００３５】
排水用導水管４ｃは管壁が透水性を有する仕様であり、例えば、樹脂製三次元立体網状体または金属製スプリングにより形成される。排水用導水管４ｃを設置する場合は、排水用導水管４ｃを配置した後、排水性下地４ｂの材料や樹脂系浸透型舗装３の材料を敷設する。このように排水用導水管４ｃを設置すると、周囲からの雨水Ｗを管壁を通じて排水用導水管４ｃの空洞部に多量に流入させることができるので、より排水性が向上する。
【００３６】
排水性舗装５と排水性下地４ｂとの連結部の水の流れを良くするために、排水性舗装５の下層の非透水性下地６の路肩側では、排水性下地４ｂとの連結部のみ薄くして、排水性舗装５と排水性下地４ｂの接続面積を増大させた仕様にすることも可能である。
【００３７】
図５に例示するように、樹脂系浸透型舗装３の路肩側の下層に排水用導水管４ｃを設けない場合も、排水性舗装５の下層の非透水性下地６の路肩側では、排水性下地４ｂとの連結部のみ薄くして、排水性舗装５と排水性下地４ｂの接続面積を増大させた仕様にするとよい。これにより、排水性舗装５と排水性下地４ｂとの連結部の水の流れが向上する。
【００３８】
排水枡８や排水溝は、図６に例示するように、樹脂系浸透型舗装３の路肩側に設置することもできる。このように排水枡８が排水性下地４ｂと通じている場合は、非透水性舗装２の表面を流れる雨水Ｗ、樹脂系浸透型舗装３の表面を流れる雨水Ｗ、非透水性舗装４ａ上の浸透した雨水Ｗが排水性舗装５に流入する。排水性舗装５に流入した雨水は、その内部から排水性下地４ｂに流入して排水枡８に排出される。
【００３９】
また、本発明では、排水性舗装５が樹脂系浸透型舗装３よりも低い位置にあり、樹脂系浸透型舗装３が排水性舗装５に向かって路面長手方向で傾斜している路面の場合は、排水性下地４ｂを設けない仕様にすることができる。この仕様の場合は、樹脂系浸透型舗装３の内部を流れる浸透した雨水Ｗと非透水性舗装４ａの表面を流れる雨水Ｗは、路面長手方向に排水性舗装５に向かって流れる。流れた雨水Ｗは、排水性舗装５へ流入して排水枡８や排水溝に排出される。
【符号の説明】
【００４０】
１  舗装構造
２  非透水性舗装
２ａ  密粒度アスファルト舗装
２ｂ  粗粒度アスファルト舗装
３  樹脂系浸透型舗装
４ａ  非透水性舗装
４ｂ  排水性下地
４ｃ  排水用導水管
５  排水性舗装
６  非透水性下地
７  地盤
８  排水枡
【図１】
0005729690.tif 000002
【図２】
0005729690.tif 000003
【図３】
0005729690.tif 000004
【図４】
0005729690.tif 000005
【図５】
0005729690.tif 000006
【図６】
0005729690.tif 000007